【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
所定部材と、その所定部材に一方の端部が回動可能に軸支される被軸支手段と、その被軸支手段の他方の端部に配設され、第１位置と、その第１位置とは異なる位置である第２位置との間を移動可能に構成される移動部材と、その移動部材の駆動力を発生させる駆動装置と、を備える遊技機において、
前記駆動装置は、前記被軸支手段に駆動力を伝達させる伝達ギアを備え、
前記被軸支手段の前記一方の端部は、その一方の端部の回動軸を中心とした円弧状にギア歯が形成される部分であって前記伝達ギアに歯合される受動ギア部を備え、
前記伝達ギアは、所定状態において、前記被軸支手段の前記回動軸方向の側面に少なくとも一部が対向配置されるよう構成されることを特徴とする遊技機。
【請求項２】
基板ボックスを備えることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、所定部材と、その所定部材に一方の端部が回動可能に軸支される被軸支手段と、その被軸支手段の他方の端部に配設され、第１位置と、その第１位置とは異なる位置である第２位置との間を移動可能に構成される移動部材と、その移動部材の駆動力を発生させる駆動装置と、を備える遊技機において、前記駆動装置は、前記被軸支手段に駆動力を伝達させる伝達ギアを備え、前記被軸支手段の前記一方の端部は、その一方の端部の回動軸を中心とした円弧状にギア歯が形成される部分であって前記伝達ギアに歯合される受動ギア部を備え、前記伝達ギアは、所定状態において、前記被軸支手段の前記回動軸方向の側面に少なくとも一部が対向配置されるよう構成される。
【手続補正３】
【補正対象書類名】明細書
【補正対象項目名】００１０
【補正方法】変更
【補正の内容】
【００１０】
請求項２記載の遊技機によれば、請求項１記載の遊技機の奏する効果に加え、基板ボックスの内部に制御装置を収納することができる。
【手続補正４】
【補正対象書類名】明細書
【補正対象項目名】０７６９
【補正方法】変更
【補正の内容】
【０７６９】
１０                                  パチンコ機（遊技機）
１３、８０１３                        遊技盤
６１                                  内レール（レール部材）
６２                                  外レール（レール部材）
６５ａ                                特定入賞口（大入賞口）
８１                                  第３図柄表示装置（液晶表示装置）
２１０                                背面ケース
３１１ｃ                              球流しリブ（球向き調整部）
３１４                                アウト口（第１アウト口、第２アウト口）
３２０                                前板部材
３２１ａ                              球流しリブ（球向き調整部）
３３１ｃ                              光照射装置（照射装置）
３３２                                移動上蓋部材（上蓋部材）
３３２ａ１ｆ                          前側傾斜側面（方向変化部）
３３２ａ３                            案内リブ（リブの一部）
３３２ｃ                              中心リブ（リブの一部）
４１０                                本体部材（移動部材、第１移動部材）
４１６                                軸支部（第１支持部）
４２１                                揺動ベース部材（第２移動部材の一部）
４２１ｃ                              挿通軸部（一方の端部）
４２２                                装飾部材（第２移動部材の一部）
４２３、５４２３                      連結部材
４２３ｂ                              屈曲部（中間部）
４２３ｃ                              軸支棒（第２支持部）
４２３ｅ                              スライド軸部（他方の端部）
４２４、５４２４                      案内板（ベース部材）
４２４ｂ、４４２４ｂ                  案内孔（案内経路）
４３０                                首振り部材（補助部材）
４４０                                脚部材（スライド機構部の一部）
４６０                                駆動装置
４８０、９４８０                      配線案内アーム（配線補助部材）
４８１、９４８１                      第１案内アーム（腕部材）
４８１ａ                              板状腕部（連結棒部の一部、側壁部）
４８１ａ１                            切り欠き部（凹設部）
４８１ｂ                              一側筒状部（支持部）
４８１ｃ                              他側筒状部（支持部）
４８１ｃ１                            拡径部（第２非接触部）
４８１ｄ                              添え部（連結棒部の一部、側壁部）
４８１ｄ１                            円弧状添え部（壁部）
４８１ｅ                              底部（連結棒部の一部、底部）
４８１ｅ２                            他側底部（軸底部）
４８２、９４８２                      第２案内アーム（腕部材）
４８２ａ                              板状腕部（連結棒部の一部、側壁部）
４８２ａ１                            円弧状板部（壁部）
４８２ａ２                            切り欠き部（凹設部）
４８２ｂ                              一側筒状部（支持部）
４８２ｂ１                            縮径部（第１非接触部）
４８２ｃ                              他側筒状部（支持部）
４８２ｄ                              添え部（連結棒部の一部、側壁部）
４８２ｅ                              底部（連結棒部の一部、底部）
４８２ｅ１                            一側底部（軸底部）
４８３                                第３案内アーム（腕部材）
５１０、３５１０                      ベース部材（ベース板、所定部材の一部）
５１２ｂ                              第２軸部（回動軸）
５２０、２５２０、３５２０、７５２０  駆動側アーム部材（被軸支手段）
５２３                                ギア部（受動ギア部）
５２３ａ                              傘部
５２５                                カラー部材（小面積部材）
５２５ａ                              本体部（本体円）
５２８、２５２８、７５２８            橋架け部材
５２８ａ、７５２８ａ                  第１橋架け部材（他方の橋架け部材）
５２８ａ２                            挿通部（固定部）
５２８ａ３                            補助突部（回り止めピン部）
５２８ａ４                            リブ部（突設部）
５２８ｂ、７５２８ｂ                  第２橋架け部材（一方の橋架け部材）
５２８ｂ２                            挿通部（固定部）
５２８ｂ３                            補助突部（回り止めピン部）
５２８ｂ４                            リブ部（突設部）
５３０、７５３０                      従動側アーム部材（腕部材）
５４０                                移動部材
５５０                                駆動装置
５５３                                伝達ギア
５５３ａ                              第１ギア部
５５３ｂ                              第２ギア部
５６０                                前板部材（所定部材の一部）
３５２３ｂ                            張出部（支え部）
４４２４ｃ                            凹設部（制動部）
５４２５ｂ２                          第２傾斜面（制動部）
６４８０                              配線案内スライド（配線補助部材）
８０１３ｃ                            方向変化部
８６１０                              光照射装置（照射装置）
９４８１ｄ１                          嵌め合い窪み（嵌め合い窪み）
９４８１ｆ                            脱着正面係止部材（正面係止部材）
９４８１ｆ２                          嵌め合い腕部（腕部）
９４８１ｇ                            滑り止め板部（位置ずれ抑制部）
９４８１ｈ                            他側補助底部（延設部）
９４８２ｆ                            張出正面係止部（延設部）
９４８２ｇ                            滑り止め板部（位置ずれ抑制部）
Ｃ                                    カラー部材（蓋部材）
Ｎ                                    リブ部（位置ずれ抑制部）
Ｗ                                    配線